(57)【要約】【課題】バッファ回路のＡ級動作を確保して非線形動作に起因する１／ｆ雑音のバッファ回路の出力信号への折り返しを回避すると共に、バッファ回路自体で発生する１／ｆ雑音に起因する矩形波出力信号の雑音特性の悪化の低減、抑圧を可能とする。【解決手段】発振部１とバッファ回路３の間には、発振部１の出力信号のレベルの増大の際に、発振部１の出力レベルを、バッファ回路３のＡ級動作を確保可能とするレベルに低減可能とする減衰量に設定されてなる信号減衰器２が設けられる一方、バッファ回路１と矩形波変換部５との間には、バッファ回路３の出力信号に含まれる１／ｆ雑音を阻止可能に構成されてなるハイパスフィルタ４が設けられ、矩形波出力信号の雑音特性が向上されるものとなっている。【選択図】図１
2015115797.tif 000002
【特許請求の範囲】
【請求項１】
電気機械振動子を用いてなる発振部と、前記発振部の出力信号を緩衝増幅するバッファ回路と、前記バッファ回路を介して入力された前記発振部の出力信号を矩形波に変換、出力する矩形波変換部とを具備してなる低雑音発振回路であって、
前記発振部とバッファ回路の間に信号減衰器が設けられると共に、前記バッファ回路と前記矩形波変換部との間にハイパスフィルタが設けられ、
前記信号減衰器は、前記発振部の出力信号のレベルの増大の際に、前記バッファ回路のＡ級動作を確保可能とする減衰量に設定されてなり、
前記ハイパスフィルタは、前記バッファ回路の出力信号に含まれる１／ｆ雑音を阻止可能に構成されてなることを特徴とする低雑音発振回路。
【請求項２】
前記信号減衰器とバッファ回路との間に、前記発振部の発振周波数を通過可能とするハイパスフィルタが設けられてなることを特徴とする請求項１記載の低雑音発振回路。
【発明の詳細な説明】
【技術分野】
【０００１】
本発明は、電気機械振動子等を用いた発振回路に係り、特に、出力信号の低雑音化による出力特性の向上等を図ったものに関する。
【背景技術】
【０００２】
この種の従来回路としては、例えば、図３に示されたように、電気機械振動子７Ａを用いた発振動作を行う発振部１Ａと、発振部１Ａの出力信号を緩衝増幅するバッファ回路３Ａと、バッファ回路３Ａを介した発振部１Ａの出力信号を矩形波信号に変換して出力する矩形波変換部５Ａとを具備して構成され、その出力信号がクロック信号等として用いられるものが良く知られている。
かかる構成においては、バッファ回路３Ａは、発振部１Ａにおける発振動作に影響を与えることがないようにするため、高インピーダンス入力で、低出力インピーダンスの回路構成のものが用いられるものとなっている。
この種の発振回路は、例えば、特許文献１等に開示されている。
【先行技術文献】
【特許文献】
【０００３】
【特許文献１】特開平６−２２４６３６号公報（第４−５頁、図１−図５）
【発明の概要】
【発明が解決しようとする課題】
【０００４】
ところで、かかる従来回路においては、発振部１Ａにおける発振安定時の発振信号電圧振幅が、電源電圧に達するほど大きいため、通常、Ａ級増幅動作となるよう構成されたバッファ回路３Ａにおいては、かかる振幅の信号によりトランジスタ等の能動素子は線形のＡ級動作から外れてしまい非線形動作となってしまう。
バッファ回路３Ａは、非線形動作となると、バッファ回路３Ａに用いられているトランジスタ等の能動素子の１／ｆ雑音が、発振信号の周波数に折り返されてしまい、バッファ回路３Ａの出力周波数近傍に重畳されて雑音特性が悪化してしまうという問題を招く。
【０００５】
さらに、矩形波変換部５Ａへは、バッファ回路３Ａ自体で発生する１／ｆ雑音も上述の雑音と併せて入力され、矩形波に変換されるため、最終的な矩形波出信号に双方の雑音が重畳されてしまい、出力信号の雑音特性が悪化してしまうという問題をも招くこととなる。
【０００６】
本発明は、上記実状に鑑みてなされたもので、バッファ回路のＡ級動作を確保してバッファ回路の非線形動作に起因する１／ｆ雑音のバッファ回路の出力信号への折り返しを回避すると共に、バッファ回路自体で発生する１／ｆ雑音に起因する矩形波出力信号の雑音特性の悪化を低減、抑圧することを可能とする低雑音発振回路を提供するものである。
【課題を解決するための手段】
【０００７】
上記本発明の目的を達成するため、本発明に係る低雑音発振回路は、
電気機械振動子を用いてなる発振部と、前記発振部の出力信号を緩衝増幅するバッファ回路と、前記バッファ回路を介して入力された前記発振部の出力信号を矩形波に変換、出力する矩形波変換部とを具備してなる低雑音発振回路であって、
前記発振部とバッファ回路の間に信号減衰器が設けられると共に、前記バッファ回路と前記矩形波変換部との間にハイパスフィルタが設けられ、
前記信号減衰器は、前記発振部の出力信号のレベルの増大の際に、前記バッファ回路のＡ級動作を確保可能とする減衰量に設定されてなり、
前記ハイパスフィルタは、前記バッファ回路の出力信号に含まれる１／ｆ雑音を阻止可能に構成されてなるものである。
【発明の効果】
【０００８】
本発明によれば、発振部の出力信号のレベルが大きい場合にもバッファ回路のＡ級動作が確保されるようにしたので、従来と異なり、バッファ回路の１／ｆ雑音が矩形波出力の出力周波数近傍に折り返されて重畳されることが確実に回避され、さらに、矩形波変換部への入力段に設けたハイパスフィルタによって１／ｆ雑音を低減することで、矩形波出力の雑音を確実に低減し、信号品質の向上を図り、良好な出力特性の発振回路を提供することができるという効果を奏するものである。
【図面の簡単な説明】
【０００９】
【図１】本発明の実施の形態における低雑音発振回路の第１の構成例を示す回路図である。
【図２】本発明の実施の形態における低雑音発振回路の第２の構成例を示す回路図である。
【図３】従来の発振回路の構成例を示す回路図である。
【発明を実施するための形態】
【００１０】
以下、本発明の実施の形態について、図１及び図２を参照しつつ説明する。
なお、以下に説明する部材、配置等は本発明を限定するものではなく、本発明の趣旨の範囲内で種々改変することができるものである。
最初に、本発明の実施の形態における低雑音発振回路の第１の構成例について、図１を参照しつつ説明する。
この第１の構成例における低雑音発振回路１０１は、発振部（図１においては「ＯＳＣ」と表記）１と、信号減衰器２と、バッファ回路（図１においては「ＢＵＦ」と表記）３と、ハイパスフィルタ（図１においては「ＨＰＦ」と表記）４と、矩形波変換部５とを具備して構成されたものとなっている。
【００１１】
発振部１は、電気機械振動子として、水晶発振子７を用いて発振動作を行うよう構成されたもので、その回路構成自体は、従来と基本的に同一のものである。
信号減衰器２は、発振部１の出力信号の信号レベルを所定の信号レベルに減衰せしめるものである。この種の回路としては、半導体素子と用いたものや、抵抗器を用いたものなど従来から良く知られた回路構成のものが種々あるが、本発明の実施の形態においては、特定の回路構成に限定される必要はなく、いずれの回路構成とするかは任意である。
かかる信号減衰器２の減衰量、すなわち、入力された発振部１の出力信号の信号レベルをどの程度の信号レベルに減衰させるかは、発振部１から出力される正弦波発振信号により次述するバッファ回路３の緩衝増幅動作が非線形動作とならない程度の信号レベルに低減できる減衰量に設定するのが好適である。
【００１２】
バッファ回路３は、信号減衰器２を介して入力された発信部１の出力信号を、緩衝増幅して出力するもので、発振部１における発振動作に影響を与えることないものとするため、従来同様、高インピーダンス入力で低出力インピーダンスの回路構成のものが用いられるものとなっている。
ハイパスフィルタ４は、バッファ回路３から出力される１／ｆ雑音の通過を阻止可能とするもので、回路構成自体は従来から良く知られたものである。
矩形波変換部５は、入力された正弦波信号を矩形波に変換して出力するよう構成されてなるもので、その回路構成は従来回路と基本的に同一のものである。
【００１３】
かかる構成においては、信号減衰器２により、発振部１の出力信号が、バッファ回路３の緩衝増幅動作を非線形動作とすることの無い信号レベルに減衰されてバッファ回路３に入力されるため、従来と異なり、バッファ回路３が非線形動作となることに起因する１／ｆ雑音の発生が回避され、１／ｆ雑音が発振部１の発振信号の周波数に折り返されることが無くなる。
また、バッファ回路３と矩形波変換部５との間に設けられたハイパスフィルタ４により、バッファ回路３自体で発生した１／ｆ雑音の矩形波変換部５への通過が阻止されるため、従来と異なり、矩形波変換部５の出力信号の雑音特性の劣化防止が確保され、より信頼性の高い出力信号が得られることとなる。
【００１４】
次に、本発明の実施の形態における低雑音発振回路の第２の構成例について、図２を参照しつつ説明する。
なお、図１に示された第１の構成例における構成要素と同一の構成要素には、同一の符号を付して、その詳細な説明を省略し、以下、異なる点を中心に説明することとする。
【００１５】
この第２の構成例における低雑音発振回路１０１Ａは、フィルタ付き信号減衰器６を設けた点が、先の第１の構成例と異なるもので、他の構成は、先の第１の構成例と基本的に同一である。
フィルタ付き信号減衰器６は、信号減衰器２と、その後段側に設けられた発振出力通過用ハイパスフィルタ８とを有して構成されてなるもので、発振出力通過用ハイパスフィルタ８は、発振部１の信号の通過を可能として、他の周波数の信号通過を阻止可能に構成されてなるものである。かかる発振出力通過用ハイパスフィルタ８は、特に、コンデンサを用いてなるハイパスフィルタ回路とすることで、次段のバッファ回路３のＡ級動作の領域を最大限に活用できるよう回路定数の設定が従来に比して容易となる。
【００１６】
その結果、信号減衰器２による発振信号の減衰を最小限とすることが可能となる。なお、上述の点を除き、他の回路動作、作用は、基本的に先の第１の構成例と同様であるので、ここでの再度の詳細な説明は省略する。
【００１７】
上述した本発明の実施の形態において、発振部１の図示にバイポーラトランジスタを用いたが（図１及び図２参照）、これは発振部１の構成要素としてバイポーラトランジスタに限定する趣旨ではなく、あくまでも半導体素子の一例として示したもので、勿論、他の半導体素子によって発振部１を構成しても良い。
また、信号減衰器２の図示には、抵抗器を用いたが、発振部１の場合と同様に、これは、信号減衰器２の構成要素として抵抗器に限定する趣旨ではなく、所望の振幅レベルに減衰できるのであれば、他の素子を用いて構成しても良いことは勿論である。
【産業上の利用可能性】
【００１８】
出力特性の更なる向上が所望される発振回路に適用できる。
【符号の説明】
【００１９】
１…発振部
２…信号減衰器
３…バッファ回路
４…ハイパスフィルタ
５…矩形波変換部
６…フィルタ付き信号減衰器
７…水晶振動子
【図１】
2015115797.tif 000003
【図２】
2015115797.tif 000004
【図３】
2015115797.tif 000005